(57)【要約】【課題】把持したときに滑りにくく、また容易に曲がり巻き上げ操作が行いやすい毛髪保持具を提供すること。【解決手段】毛髪保持具１は、一端の開口部２１から他端の開口部２２に向けて毛髪束を挿通可能なシートにより構成された筒状体２を備えた扁平形状である。筒状体２は、毛髪保持具１の巻き上げ状態において内側に位置する一面シート２３Ａ及び外側に位置する他面シート２３Ｂを備える。一面シート２３Ａの各側部域と前記他面シート２３Ｂの各側部域とが互いに接合されて、筒状体２に一対の側部接合域２４が形成されている。側部接合域２４が、他面シート２３Ｂの側から一面シート２３Ａの側へ向けて凹陥した他面シート側凹部２５を、側部接合域２４の長手方向Ｘに沿って複数有している。【選択図】図１
2019103756.tif 000002
【特許請求の範囲】
【請求項１】
一端の開口部から他端の開口部に向けて毛髪束を挿通可能なシートにより構成された筒状体を備えた扁平形状の毛髪保持具であって、
前記筒状体は、前記毛髪保持具の巻き上げ状態において内側に位置する一面シート及び外側に位置する他面シートを備え、
前記一面シートの各側部域と前記他面シートの各側部域とが互いに接合されて、前記筒状体に一対の側部接合域が形成されており、
少なくとも一方の前記側部接合域が、前記他面シートの側から前記一面シートの側へ向けて凹陥した他面シート側凹部を、該側部接合域の長手方向に沿って複数有している、毛髪保持具。
【請求項２】
前記他面シート側凹部の底部を構成する前記他面シートが、該他面シートと前記一面シートとの境界を越えて該一面シート側に達している請求項１に記載の毛髪保持具。
【請求項３】
前記他面シート側凹部が、前記側部接合域の幅方向の全域にわたって連続して延びている請求項１又は２に記載の毛髪保持具。
【請求項４】
少なくとも一方の前記側部接合域が、前記一面シートの側から前記他面シートの側へ向けて凹陥した一面シート側凹部を、該側部接合域の長手方向に沿って複数有している請求項１ないし３のいずれか一項に毛髪保持具。
【請求項５】
前記側部接合域の長手方向に沿って隣り合う前記他面シート側凹部間の距離が、他端の前記開口部から一端の前記開口部に向けて漸次広くなっている請求項１ないし４のいずれか一項に記載の毛髪保持具。
【請求項６】
前記筒状体は、前記側部接合域に、幅方向の外方に向けて延出する巻き締め片を有している請求項１ないし５のいずれか一項に記載の毛髪保持具。
【請求項７】
前記側部接合域が補強材を有する請求項１ないし６のいずれか一項に記載の毛髪保持具。
【請求項８】
請求項１に記載の毛髪保持具の製造方法であって、
一面シートと他面シートとを対向させた状態下に、該一面シートの各側部域と該他面シートの各側部域とを互いに接合して一対の側部接合域を有する筒状体を形成すると同時に、該側部接合域に、該他面シートの側から該一面シートの側へ向けて凹陥した他面シート側凹部を、該側部接合域の長手方向に沿って複数形成する、毛髪保持具の製造方法。
【発明の詳細な説明】
【技術分野】
【０００１】
本発明は毛髪保持具及びその製造方法に関する。
【背景技術】
【０００２】
一端の開口部から他端の開口部に向けて毛髪束を挿通可能なシートにより構成された扁平形状の筒状体からなる毛髪保持具が知られている（例えば特許文献１参照）。特許文献１に記載の毛髪保持具によれば、毛髪束を巻回する操作を容易に行うことができるとされている。
【０００３】
また、本出願人は、先に、扁平形状の筒状体から構成されている毛髪保持具にヒートエンボス加工を施して凹部を形成することで、該凹部における吸水量を低減させる技術を提案した（特許文献２）。
【先行技術文献】
【特許文献】
【０００４】
【特許文献１】米国特許第３２５５７６５号明細書
【特許文献２】特開２００７−１３０１９９号公報
【発明の概要】
【発明が解決しようとする課題】
【０００５】
これまで知られている毛髪保持具の多くは、熱可塑性樹脂の繊維シートやフィルムから構成されており、対向する２枚のシートの両側部域を融着させて筒状体に形成している。融着によって形成された側部域はフィルム状となり、そのことに起因して該側部域を手で把持した場合に滑りやすくなることがある。特にパーマ剤等の毛髪処理剤を使用すると一層滑りやすくなることがある。また、側部域がフィルム状になることで、該側部域が硬く、変形しづらくなり、その結果、毛髪保持具を巻き上げにくくなることがある。このように、従来知られている毛髪保持具は操作性の点で改良の余地のあるものであった。
【０００６】
したがって本発明の課題は、操作性の良好な毛髪保持具及びその製造方法を提供することにある。
【０００７】
本発明は、一端の開口部から他端の開口部に向けて毛髪束を挿通可能なシートにより構成された筒状体を備えた扁平形状の毛髪保持具であって、
前記筒状体は、前記毛髪保持具の巻き上げ状態において内側に位置する一面シート及び外側に位置する他面シートを備え、
前記一面シートの各側部域と前記他面シートの各側部域とが互いに接合されて、前記筒状体に一対の側部接合域が形成されており、
少なくとも一方の前記側部接合域が、前記他面シートの側から前記一面シートの側へ向けて凹陥した他面シート側凹部を、該側部接合域の長手方向に沿って複数有している、毛髪保持具を提供することにより前記の課題を解決したものである。
【０００８】
また本発明は、前記の毛髪保持具の好適な製造方法として、
一面シートと他面シートとを対向させた状態下に、該一面シートの各側部域と該他面シートの各側部域とを互いに接合して一対の側部接合域を有する筒状体を形成すると同時に、該側部接合域に、該他面シートの側から該一面シートの側へ向けて凹陥した他面シート側凹部を、該側部接合域の長手方向に沿って複数形成する、毛髪保持具の製造方法を提供するものである。
【発明の効果】
【０００９】
本発明によれば、把持したときに滑りにくく、また容易に曲がり巻き上げ操作が行いやすい毛髪保持具が提供される。
【図面の簡単な説明】
【００１０】
【図１】図１は、本発明の毛髪保持具の一実施形態を示す一部破断正面図である。
【図２】図２は、図１に示す毛髪保持具の巻回体を示す斜視図である。
【図３】図３（ａ）及び（ｂ）は、図１に示す毛髪保持具における側部接合域の構造を示す断面図である。
【図４】図４は、図１に示す毛髪保持具における側部接合域の別の構造を示す断面図である。
【図５】図５は、本発明の毛髪保持具の別の実施形態を示す一部破断正面図である。
【図６】図６は、本発明の毛髪保持具における側部接合域の別の構造を示す断面図である。
【図７】図７は、本発明の毛髪保持具の別の実施形態を示す一部破断正面図である。
【発明を実施するための形態】
【００１１】
以下本発明を、その好ましい実施形態に基づき図面を参照しながら説明する。図１には本発明の毛髪保持具の一実施形態が示されている。同図に示す毛髪保持具１は、一端の開口部２１から他端の開口部２２に向けて毛髪束（図示せず）を挿通可能なシート２３Ａ，２３Ｂにより構成された筒状体２を備えている。毛髪保持具１は、図１の紙面中、上下方向に延びる長手方向Ｘと、該長手方向Ｘに直交する幅方向Ｙを有している。毛髪保持具１は、長手方向Ｘと幅方向Ｙとからなる平面に沿った扁平形状をしている。
【００１２】
毛髪保持具１を構成する筒状体２は、毛髪保持具１を巻き上げた際に内側に位置する一面シート２３Ａ及び外側に位置する他面シート２３Ｂを備えている。一面シート２３Ａと他面シート２３Ｂは同形で且つ同サイズのものであり、長手方向Ｘに沿って縦長の長方形形状である。一面シート２３Ａと他面シート２３Ｂは、両者を対向させた状態下に、一面シート２３Ａの各側部域と、他面シート２３Ｂの各側部域とが互いに接合されている。これによって、筒状体２に一対の側部接合域２４が形成されている。側部接合域２４は、一面シート２３Ａと他面シート２３Ｂとの対向域の全域にわたって形成されている。このように両シート２３Ａ，２３Ｂを貼り合わせることで、両シート２３Ａ，２３Ｂの間に、筒状体２の長手方向Ｘに沿って毛髪束を挿通することができるようになっている。筒状体２は、その全長にわたって同じ幅を有している。
【００１３】
以下において、一面シート２３Ａ及び他面シート２３Ｂに共通する説明を行う場合には、両者をまとめて「基材シート２３」と表現する。基材シート２３の形成材料としては、例えば、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
【００１４】
毛髪保持具１は、巻き上げ可能に構成されている。巻き上げ可能な構成とは、図２に示すとおり、毛髪保持具１を巻回してロール状にすることが可能であることを指す。このような構成は、自動的に巻き上がる構成であってもよく、手動で巻き上げる構成であってもよい。毛髪保持具１の巻回をより容易に行う観点から、毛髪保持具１は、自動的に巻き上がる構成であることが好ましい。自動的に巻き上がる構成は、例えば自然状態において、毛髪保持具１がロール状に巻回されており、該毛髪保持具１を引き伸ばして毛髪束を挿入した後、手を放すと、毛髪保持具１が毛髪束とともに巻き上がるようになされている構成が挙げられる。このような構成は、一面シート２３Ａ及び他面シート２３Ｂのいずれか一方又は双方が形状記憶シートからなることにより達成することができる。形状記憶シートは、例えば熱収縮率の異なるフィルムあるいは張力の違うフィルムを貼り合わせることによって形成することができる。また毛髪保持具１は、筒状体２を構成する基材シート２３を加熱することにより、記憶していた元のロール状に復帰するものであってもよい。
【００１５】
毛髪保持具１の基材シート２３は、スリットを有していてもよい。例えば図１及び図２に示すとおり、毛髪保持具１における他面シート２３Ｂに、幅方向Ｙに延びる横長のスリット６を、長手方向Ｘに間隔を置いて複数設けることができる。スリット６は、例えば他面シート２３Ｂの長手方向Ｘの全域にわたって設けることができる。スリット６を設けることで、毛髪保持具１を構成する基材シート２３の伸長性を向上させることができ、毛髪保持具１を円滑に巻き上げることができる。特に、巻き上げ時に外側となる他面シート２３Ｂに、長手方向Ｘに離間させて複数のスリット６を設けると、毛髪保持具１を一層円滑に巻き上げることができるので有利である。このように、毛髪保持具１を構成する基材シート２３に、該毛髪保持具１の幅方向Ｙに長い形状の複数個のスリット６が毛髪保持具１の長手方向Ｘに離間して形成されていることが好ましく、毛髪保持具１を構成する一面シート２３Ａ及び他面のシート２３Ｂの両方に、複数個のスリット６が形成されていることがより好ましい。
【００１６】
基材シート２３に設けるスリットとしては、図１及び図２に示すスリット６の他に、例えば特開２００６−１２９９７２号公報の図１等に記載のスリットが挙げられる。
【００１７】
毛髪保持具１における筒状体２の一端の開口部２１の端部近傍には、図１に示すとおり、一面シート２３Ａが筒状体２の長手方向Ｘに沿って延出してなる延設部４が設けられている。一面シート２３Ａと延設部４とは一体形成されている。延設部４における他面シート２３Ｂとの反対側には巻き留め部５が設けられている。巻き留め部５は、他面シート２３Ｂに係合可能なものであり、巻き上げ状態の筒状体２を巻き留め部５に係合させることにより筒状体２の巻き上げ状態を維持するものである。巻き留め部５としては、他面シート２３Ｂに係合可能なものであれば種々のものを用いることができ、本実施形態においては、メカニカルファスナーのオス部材を用いている。
【００１８】
毛髪保持具１は、自然状態において、筒状体２が引き伸ばされた状態であってもよいが、使い勝手の良さの観点から、自然状態において、筒状体２は一面シート２３Ａを内側にしてロール状に巻回されている（図２参照）ことが好ましい。
【００１９】
筒状体２における側部接合域２４は、上述のとおり一面シート２３Ａと他面シート２３Ｂとの接合によって形成されている。一対の側部接合域２４のうち、  少なくとも一方の側部接合域２４は、他面シート２３Ｂの側から一面シート２３Ａの側へ向けて凹陥した他面シート側凹部２５を、側部接合域２４の長手方向Ｘに沿って複数有している。図１においては、両側部接合域２４の全域にわたって他面シート側凹部２５が散点状に規則的に配置されている状態が示されている。したがって他面シート側凹部２５は、側部接合域２４の長手方向Ｘ及び幅方向Ｙのいずれにおいても不連続に形成されている。
【００２０】
他面シート２３Ｂは、毛髪保持具１を巻回した状態において外面を向くので、該毛髪保持具１の巻回体においては、他面シート側凹部２５は、該巻回体の半径方向に沿って且つ中心に向けて凹陥した状態になっている。このような他面シート側凹部２５を形成することで、毛髪保持具１内に毛髪束を挿入した後に、パーマ剤などの毛髪処理剤を使用した場合であっても、他面シート側凹部２５に起因する摩擦力ないし係止力によって、毛髪保持具１を把持したときに滑りにくくなる。また、他面シート側凹部２５が形成されていることに起因して、毛髪保持具１が幅方向Ｙに沿って曲がりやすくなり、その結果、毛髪保持具１の巻き上げ操作自体も容易になる。
【００２１】
他面シート側凹部２５を形成したことによって奏される上述の効果を一層顕著なものとする観点から、側部接合域２４の面積に占める他面シート側凹部２５の面積の総和は、５％以上であることが好ましく、１０％以上であることが更に好ましく、２０％以上であることが一層好ましい。また、７０％以下であることが好ましく、６０％以下であることが更に好ましく、５５％以下であることが一層好ましい。側部接合域２４の面積に占める他面シート側凹部２５の面積の総和は、５％以上７０％以下であることが好ましく、１０％以上６０％以下であることが更に好ましく、２０％以上５５％以下であることが一層好ましい。
【００２２】
個々の他面シート側凹部２５に着目した場合、該他面シート側凹部２５の幅、すなわち幅方向Ｙに沿う長さは、０．５ｍｍ以上であることが好ましく、０．８ｍｍ以上であることが更に好ましく、１ｍｍ以上であることが一層好ましい。また、他面シート側凹部２５の幅は、５ｍｍ以下であることが好ましく、４ｍｍ以下であることが更に好ましく、３ｍｍ以下であることが一層好ましい。具体的には、他面シート側凹部２５の幅は、０．５ｍｍ以上５ｍｍ以下であることが好ましく、０．８ｍｍ以上４ｍｍ以下であることが更に好ましく、１ｍｍ以上３ｍｍ以下であることが一層好ましい。
【００２３】
他面シート側凹部２５の幅との関係で、該他面シート側凹部２５の個々の面積は、０．１９ｍｍ２以上であることが好ましく、０．５０ｍｍ２以上であることが更に好ましく、０．７８ｍｍ２以上であることが一層好ましい。また、他面シート側凹部２５の個々の面積は、２５ｍｍ２以下であることが好ましく、１６ｍｍ２以下であることが更に好ましく、９ｍｍ２以下であることが一層好ましい。具体的には、他面シート側凹部２５の個々の面積は、０．１９ｍｍ２以上２５ｍｍ２以下であることが好ましく、０．５０ｍｍ２以上１６ｍｍ２以下であることが更に好ましく、０．７８ｍｍ２以上９ｍｍ２以下であることが一層好ましい。
【００２４】
他面シート側凹部２５を形成するためには、例えば、一面シート２３Ａと他面シート２３Ｂとを対向させて、両者を、接合用ブロック（図示せず）とアンビル（図示せず）との間に配置し、一面シート２３Ａの各側部域と他面シート２３Ｂの各側部域とを互いに接合して、一対の側部接合域２４を有する筒状体を形成すると同時に、該側部接合域２４に他面シート側凹部２５を形成すればよい。この場合、接合用ブロックを他面シート２３Ｂに対向させ、アンビルを一面シート２３Ａに対向させることが好ましい。接合用ブロックは、他面シート２３Ｂとの対向面に、他面シート側凹部２５の形状と相補形状をなす凸部を有していることが好ましい。接合用ブロックは、例えば加熱可能になっていて、融着によって側部接合域２４及び他面シート側凹部２５の形成が可能になっている。あるいは接合用ブロックは、例えば超音波振動が可能になっていて、超音波振動に起因する摩擦熱による融着で側部接合域２４及び他面シート側凹部２５の形成が可能になっている。
【００２５】
図１においては、他面シート側凹部２５が側部接合域２４の全域に形成されている状態が示されているが、該他面シート側凹部２５の形成位置はこれに限られない。例えば他端の開口部２２を含む、側部接合域２４の全長の１／３以上、特に１／２以上の領域に他面シート側凹部２５が形成されていれば、毛髪保持具１を巻き上げるときに滑りが生じにくくなる。
【００２６】
図３（ａ）及び（ｂ）には、毛髪保持具１の側部接合域２４の長手方向に沿う厚み方向断面図が示されている。側部接合域２４に形成されている他面シート側凹部２５においては、該他面シート側凹部２５の底部が他面シート２３Ｂで形成されているところ、該他面シート２３Ｂは、図３（ａ）に示すとおり、該他面シート２３Ｂと一面シート２３Ａとの境界Ｂを越えて該一面シート２３Ａ側に達しているか、又は図３（ｂ）に示すとおり、該境界Ｂを越えず該一面シート２３Ａ側に達していない。境界Ｂとは、図３（ａ）及び（ｂ）に示すとおり、毛髪保持具１において一面シート２３Ａと他面シート２３Ｂとが接合されておらず且つ凹陥した凹部が存在しい部位における両シート２３Ａ，２３Ｂの対向位置のことである。図３（ａ）及び図３（ｂ）に示す実施形態のうち、図３（ａ）に示す実施形態を採用すると、毛髪保持具１の巻き上げ操作を複数回にわたって行ったとしても、側部接合域２４における一面シート２３Ａと他面シート２３Ｂとの剥離が生じにくくなり、該側部接合域２４の耐久性が向上する。この効果を一層顕著なものとする観点から、他面シート側凹部２５においては、該他面シート側凹部２５の底部を構成する他面シート２３Ｂの厚みのうちの好ましくは１０％以上の領域が、より好ましくは３０％以上の領域が、更に好ましくは５０％以上の領域が、より一層好ましくは１００％の領域が、他面シート２３Ｂと一面シート２３Ａとの境界Ｂを越えて一面シート２３Ａ側に達していることが好ましい。具体的には、底部を構成する他面シート２３Ｂの厚みのうちの好ましくは１０％以上１００％以下の領域、より好ましくは３０％以上１００％以下の領域、更に好ましくは５０％以上１００％以下の領域、より一層好ましくは１００％の領域が、他面シート２３Ｂと一面シート２３Ａとの境界Ｂを越えて一面シート２３Ａ側に達していることが好ましい。
【００２７】
図４に示すとおり、側部接合域２４は、他面シート側凹部２５が形成されていることに加えて、一面シート側凹部２６も形成されていることが好ましい。一面シート側凹部２６は、側部接合域２４が、一面シート２３Ａの側から他面シート２３Ｂの側へ向けて凹陥して形成されている。一面シート側凹部２６は、側部接合域２４の長手方向Ｘに沿って複数形成されている。側部接合域２４に、他面シート側凹部２５及び一面シート側凹部２６が形成されていることで、毛髪保持具１を巻き上げた巻回体において、該巻回体の半径方向に沿って重なる側部接合域２４間で、他面シート側凹部２５と一面シート側凹部２６との間に引っ掛かりが生じたり、食い込み（嵌合）が生じたりして、引っ掛かり抵抗が増加するという利点がある。
【００２８】
一面シート側凹部２６は、一般に他面シート側凹部２５と相補形状をなしていることが好ましい。したがって、側部接合域２４の面積に占める一面シート側凹部２６の面積の総和の割合や、一面シート側凹部２６の幅及び面積等は、他面シート側凹部２５と同様とすることができる。尤も、一面シート側凹部２６の形状やサイズが他面シート側凹部２５と異なることは何ら妨げられない。
【００２９】
側部接合域２４に他面シート側凹部２５及び一面シート側凹部２６が形成されていることで、側部接合域２４は、その本来の厚さである厚さｔ（図３（ａ）及び（ｂ）並びに図４参照）に対して、見かけの厚みＴ（図３（ａ）及び（ｂ）並びに図４参照）が大きくなっている。例えば、他面シート側凹部２５及び一面シート側凹部２６の双方を形成したことによって奏される上述の効果を一層顕著なものとする観点から、Ｔ／ｔの値は１．０１以上であることが好ましく、１．１以上であることが更に好ましく、１．５以上であることが一層好ましい。またＴ／ｔの値は２０以下であることが好ましく、１０以下であることが更に好ましく、５以下であることが一層好ましい。具体的には、Ｔ／ｔの値は１．０１以上２０以下であることが好ましく、１．１以上１０以下であることが更に好ましく、１．５以上５以下であることが一層好ましい。
【００３０】
側部接合域２４の見かけの厚みＴの値そのものは、０．１０ｍｍ以上であることが好ましく、０．２０ｍｍ以上であることが更に好ましく、０．２５ｍｍ以上であることが一層好ましい。またＴの値は２．００ｍｍ以下であることが好ましく、１．５０ｍｍ以下であることが更に好ましく、１．００ｍｍ以下であることが一層好ましい。具体的には、Ｔの値は０．１０ｍｍ以上２．００ｍｍ以下であることが好ましく、０．２０ｍｍ以上１．５０ｍｍ以下であることが更に好ましく、０．２５ｍｍ以上１．００ｍｍ以下であることが一層好ましい。
【００３１】
図４には、他面シート２３Ｂが、他面シート２３Ｂと一面シート２３Ａとの境界Ｂを越えて該一面シート２３Ａ側に達している状態が示されている。一方、一面シート側凹部２６においても同様であり、該一面シート側凹部２６の底部を構成する一面シート２３Ａは、図４に示す該一面シート２３Ａと他面シート２３Ｂとの境界Ｂを越えて該他面シート２３Ｂ側に達していることが好ましい。特に、一面シート側凹部２６においては、該一面シート側凹部２６の底部を構成する一面シート２３Ａの厚みのうちの好ましくは１０％以上の領域が、より好ましくは３０％以上の領域が、更に好ましくは５０％以上の領域が、より一層好ましくは１００％の領域が、一面シート２３Ａと他面シート２３Ｂとの境界Ｂを越えて他面シート２３Ｂ側に達していることが好ましい。具体的には、底部を構成する一面シート２３Ａの厚みのうちの好ましくは１０％以上１００％以下の領域、より好ましくは３０％以上１００％以下の領域、更に好ましくは５０％以上１００％以下の領域、より一層好ましくは１００％の領域が、一面シート２３Ａと他面シート２３Ｂとの境界Ｂを越えて他面シート２３Ｂ側に達していることが好ましい。
【００３２】
図５には本発明の別の実施形態が示されている。同図に示す毛髪保持具１は、側部接合域２４に形成されている他面シート側凹部２５の形状が図１に示す実施形態と相違している。本実施形態においては、他面シート側凹部２５が、側部接合域２４の長手方向Ｘに沿って連続して延びているとともに、側部接合域２４の幅方向Ｙに沿って連続して延びている。他面シート側凹部２５は、側部接合域２４の長手方向Ｘの全域にわたって延びているとともに、側部接合域２４の幅方向Ｙの全域にわたって延びている。他面シート側凹部２５がこのような形状で形成されていることで、毛髪保持具１内に毛髪束を挿入した後に、パーマ剤などの毛髪処理剤を使用した場合であっても、該毛髪処理剤が、幅方向Ｙに沿って延びる他面シート側凹部２５に案内されて外部に排出されやすくなるので、毛髪保持具１を把持したときに滑りにくくなる。また、幅方向Ｙに沿って延びる他面シート側凹部２５によって、毛髪保持具１が幅方向Ｙに沿って曲がりやすくなり、その結果、毛髪保持具１の巻き上げ操作を行いやすくなる。更に、連続して延びる他面シート側凹部２５によって、毛髪保持具１の巻き上げ操作を複数回にわたって行ったとしても、側部接合域２４において一面シート２３Ａと他面シート２３Ｂとの剥離が生じにくくなり、該側部接合域２４の耐久性が向上する。しかも、毛髪保持具１を巻回体とした場合に、該巻回体の直径が変動しにくい。なお、これらの効果は、他面シート側凹部２５が、側部接合域２４の幅方向Ｙに沿って連続して延びているだけの実施形態の場合にも奏される。
【００３３】
図６には、本発明の毛髪保持具の更に別の実施形態が示されている。同図には、毛髪保持具１における側部接合域２４の断面構造が示されている。本実施形態においては、側部接合域２４の長手方向Ｘに沿って隣り合う他面シート側凹部２５，２５間の距離Ｐが、他端の開口部２２から一端の開口部２１に向けて漸次広くなっている。こうすることによって、毛髪保持具１を巻き上げた巻回体において、該巻回体の半径方向に沿って重なる側部接合域２４間で引っ掛かりが生じやすくなる。その結果、巻回状態が一層保持されやすくなる。この効果を一層顕著なものとする観点から、ある他面シート側凹部２５間の距離Ｐ１を基準として、πＤ（Ｄは巻回状態時の毛髪保持具１における、ある他面シート側凹部２５間の距離Ｐ１が存在する位置の直径を示す。）の長さだけ一端の開口部２１側に位置する別の他面シート側凹部２５間の距離Ｐ２が、Ｐ１の１．０５倍以上であることが好ましく、１．１倍以上であることが更に好ましい。またＰ２がＰ１の５倍以下であることが好ましく、３倍以下であることが更に好ましい。具体的には、Ｐ２はＰ１の１．０５倍以上５倍以下であることが好ましく、１．１倍以上３倍以下であることが更に好ましい。また、側部接合域２４が一面シート側凹部２６も具備し、側部接合域２４の長手方向Ｘに沿って隣り合う一面シート側凹部２６，２６間の距離Ｐ’が、他端の開口部２２から一端の開口部２２に向けて漸次広くなっていることも好ましい。
【００３４】
なお図６に示す実施形態においては、側部接合域２４の長手方向Ｘに沿って隣り合う他面シート側凹部２５，２５間の距離Ｐが、他端の開口部２２から一端の開口部２１に向けて漸次広くなっていることに加えて、長手方向Ｘに沿う他面シート側凹部２５の長さＬが、他端の開口部２２から一端の開口部２１に向けて漸次長くなっている。これに代えて、他面シート側凹部２５，２５間の距離Ｐのみを、他端の開口部２２から一端の開口部２１に向けて漸次広くするとともに、長手方向Ｘに沿う他面シート側凹部２５の長さＬに関しては、長手方向Ｘのいずれの位置においても同じにすることもできる。
【００３５】
図７には、本発明の毛髪保持具のまた更に別の実施形態が示されている。同図に示す毛髪保持具１は、各側部接合域２４における他端の開口部２２側の近傍に、幅方向Ｙの外方に向けて延出する巻き締め片８を有している。各巻き締め片８は、一面シート２３Ａの他端の開口部２２側の近傍において、幅方向Ｙの外方に向けて延出して、該一面シート２３Ａと一体的に形成されている。かかる構成により、毛髪束を挿通した毛髪保持具１を巻回する際、巻き締め片８を手で把持して毛髪保持具１を巻き上げると、毛髪保持具１を容易に且つ必要に応じてきつく巻き上げることができる。巻き締め片８としては、図示するものの他に、例えば、特開２００６−１２９９７２号公報の段落〔００１９〕に記載のものを設けることができる。巻き締め片８の形成方法、形状、大きさ、厚さ、配置等は適宜設定できる。
【００３６】
なお図５ないし図７に実施形態において、特に説明しない点については、図１ないし図４についての説明が適宜適用される。また、図５ないし図７において、図１ないし図４と同じ部材には同じ符号を付してある。
【００３７】
以上、本発明をその好ましい実施形態に基づき説明したが、本発明は前記実施形態に制限されない。例えば側部接合域２４に形成する他面シート側凹部２５の形状は上述のものに限られず、その他の形状であってもよい。例えば、他面シート側凹部２５が、側部接合域２４の幅方向Ｙにのみ沿って連続して延びている形状や、側部接合域２４の長手方向Ｘにのみ沿って連続して延びている形状を採用することができる。更に、他面シート側凹部２５が、斜め格子状に形成されていてもよい。
【００３８】
また、前記の各実施形態においては、側部接合域２４に補強材を配して該側部接合域２４の耐久性を高めてもよい。補強材は、例えば側部接合域２４の略同幅のシート片を一面シート２３Ａと他面シート２３Ｂとの間に配したり、一面シート２３Ａの表面に配したり、あるいは他面シート２３Ｂの表面に配したりすることができる。補強材は、例えば一面シート２３Ａや他面シート２３Ｂと同様の材料から構成することができる。
【００３９】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【００４０】
上述した実施形態に関し、本発明は更に以下の毛髪保持具及びその製造方法を開示する。
＜１＞
一端の開口部から他端の開口部に向けて毛髪束を挿通可能なシートにより構成された筒状体を備えた扁平形状の毛髪保持具であって、
前記筒状体は、前記毛髪保持具の巻き上げ状態において内側に位置する一面シート及び外側に位置する他面シートを備え、
前記一面シートの各側部域と前記他面シートの各側部域とが互いに接合されて、前記筒状体に一対の側部接合域が形成されており、
少なくとも一方の前記側部接合域が、前記他面シートの側から前記一面シートの側へ向けて凹陥した他面シート側凹部を、該側部接合域の長手方向に沿って複数有している、毛髪保持具。
【００４１】
＜２＞
前記他面シート側凹部の底部を構成する前記他面シートが、該他面シートと前記一面シートとの境界を越えて該一面シート側に達している前記＜１＞に記載の毛髪保持具。
＜３＞
前記他面シート側凹部においては、該他面シート側凹部の底部を構成する前記他面シートの厚みのうちの好ましくは１０％以上の領域が、より好ましくは３０％以上の領域が、更に好ましくは５０％以上の領域が、より一層好ましくは１００％の領域が、また、好ましくは１０％以上１００％以下の領域が、より好ましくは３０％以上１００％以下の領域が、更に好ましくは５０％以上１００％以下の領域が、より一層好ましくは１００％の領域が、前記他面シートと前記一面シートとの境界を越えて該一面シート側に達している、前記＜１＞又は＜２＞に記載の毛髪保持具。
＜４＞
前記他面シート側凹部が、前記側部接合域の幅方向の全域にわたって連続して延びている前記＜１＞ないし＜３＞のいずれか１に記載の毛髪保持具。
＜５＞
少なくとも一方の前記側部接合域に、前記他面シート側凹部が形成されていることに加えて、前記一面シートの側から前記他面シートの側へ向けて凹陥した一面シート側凹部も形成されている、前記＜１＞ないし＜４＞のいずれか１に記載の毛髪保持具。
＜６＞
前記側部接合域が、前記一面シート側凹部を、該側部接合域の長手方向に沿って複数有している前記＜５＞に記載の毛髪保持具。
＜７＞
前記一面シート側凹部は、前記他面シート側凹部と相補形状をなしている前記＜５＞又は＜６＞に記載の毛髪保持具。
【００４２】
＜８＞
前記一面シート側凹部の底部を構成する前記一面シートは、該一面シートと前記他面シートとの境界を越えて該他面シート側に達している前記＜５＞ないし＜７＞のいずれか１に記載の毛髪保持具。
＜９＞
前記一面シート側凹部においては、該一面シート側凹部の底部を構成する前記一面シートの厚みのうちの好ましくは１０％以上の領域が、より好ましくは３０％以上の領域が、更に好ましくは５０％以上の領域が、より一層好ましくは１００％の領域が、また、好ましくは１０％以上１００％以下の領域が、より好ましくは３０％以上１００％以下の領域が、更に好ましくは５０％以上１００％以下の領域が、より一層好ましくは１００％の領域が、該一面シートと前記他面シートとの境界を越えて該他面シート側に達している前記＜５＞ないし＜８＞のいずれか１に記載の毛髪保持具。
＜１０＞
任意の前記他面シート側凹部間の距離Ｐ１を基準として、πＤ（Ｄは巻回状態時の毛髪保持具における、任意の前記他面シート側凹部間の距離Ｐ１が存在する位置の直径を示す。）の長さだけ一端の前記開口部側に位置する別の前記他面シート側凹部間の距離Ｐ２が、Ｐ１の１．０５倍以上であることが好ましく、１．１倍以上であることが更に好ましく、
Ｐ２がＰ１の５倍以下であることが好ましく、３倍以下であることが更に好ましく、
Ｐ２はＰ１の１．０５倍以上５倍以下であることが好ましく、１．１倍以上３倍以下であることが更に好ましく、
前記側部接合域が前記一面シート側凹部も具備し、該側部接合域の長手方向に沿って隣り合う該一面シート側凹部間の距離Ｐ’が、他端の前記開口部から一端の前記開口部に向けて漸次広くなっている、前記＜５＞ないし＜９＞のいずれか１に記載の毛髪保持具。
＜１１＞
前記側部接合域の長手方向に沿って隣り合う前記他面シート側凹部間の距離が、他端の前記開口部から一端の前記開口部に向けて漸次広くなっている前記＜１＞ないし＜１０＞のいずれか１に記載の毛髪保持具。
＜１２＞
前記筒状体は、前記側部接合域に、幅方向の外方に向けて延出する巻き締め片を有している前記＜１＞ないし＜１１＞のいずれか１に記載の毛髪保持具。
【００４３】
＜１３＞
前記側部接合域が補強材を有する前記＜１＞ないし＜１２＞のいずれか１に記載の毛髪保持具。
＜１４＞
前記側部接合域の面積に占める前記他面シート側凹部の面積の総和は、５％以上であることが好ましく、１０％以上であることが更に好ましく、２０％以上であることが一層好ましく、７０％以下であることが好ましく、６０％以下であることが更に好ましく、５５％以下であることが一層好ましく、前記側部接合域の面積に占める前記他面シート側凹部の面積の総和は、５％以上７０％以下であることが好ましく、１０％以上６０％以下であることが更に好ましく、２０％以上５５％以下であることが一層好ましい、前記＜１＞ないし＜１３＞のいずれか１に記載の毛髪保持具。
＜１５＞
前記他面シート側凹部の幅、すなわち幅方向に沿う長さは、０．５ｍｍ以上であることが好ましく、０．８ｍｍ以上であることが更に好ましく、１ｍｍ以上であることが一層好ましく、前記他面シート側凹部の幅は、５ｍｍ以下であることが好ましく、４ｍｍ以下であることが更に好ましく、３ｍｍ以下であることが一層好ましく、前記他面シート側凹部の幅は、０．５ｍｍ以上５ｍｍ以下であることが好ましく、０．８ｍｍ以上４ｍｍ以下であることが更に好ましく、１ｍｍ以上３ｍｍ以下であることが一層好ましい、前記＜１＞ないし＜１４＞のいずれか１に記載の毛髪保持具。
＜１６＞
前記他面シート側凹部の個々の面積は、０．１９ｍｍ２以上であることが好ましく、０．５０ｍｍ２以上であることが更に好ましく、０．７８ｍｍ２以上であることが一層好ましく、また、前記他面シート側凹部の個々の面積は、２５ｍｍ２以下であることが好ましく、１６ｍｍ２以下であることが更に好ましく、９ｍｍ２以下であることが一層好ましく、前記他面シート側凹部の個々の面積は、０．１９ｍｍ２以上２５ｍｍ２以下であることが好ましく、０．５０ｍｍ２以上１６ｍｍ２以下であることが更に好ましく、０．７８ｍｍ２以上９ｍｍ２以下であることが一層好ましい、前記＜１＞ないし＜１５＞のいずれか１に記載の毛髪保持具。
＜１７＞
前記他端の開口部を含む、前記側部接合域の全長の１／３以上、特に１／２以上の領域に前記他面シート側凹部が形成されている、前記＜１＞ないし＜１６＞のいずれか１に記載の毛髪保持具。
【００４４】
＜１８＞
前記他面シート側凹部が前記側部接合域の全域に形成されている、前記＜１＞ないし＜１７＞のいずれか１に記載の毛髪保持具。
＜１９＞
前記側部接合域の厚みをｔとし、見かけの厚みをＴとしたとき 、Ｔ／ｔの値は１．０１以上であることが好ましく、１．１以上であることが更に好ましく、１．５以上であることが一層好ましく、２０以下であることが好ましく、１０以下であることが更に好ましく、５以下であることが一層好ましく、１．０１以上２０以下であることが好ましく、１．１以上１０以下であることが更に好ましく、１．５以上５以下であることが一層好ましい、前記＜１＞ないし＜１８＞のいずれか１に記載の毛髪保持具。
＜２０＞
前記側部接合域の見かけの厚みをＴとしたとき 、Ｔの値は０．１０ｍｍ以上であることが好ましく、０．２０ｍｍ以上であることが更に好ましく、０．２５ｍｍ以上であることが一層好ましく、２．００ｍｍ以下であることが好ましく、１．５０ｍｍ以下であることが更に好ましく、１．００ｍｍ以下であることが一層好ましく、０．１０ｍｍ以上２．００ｍｍ以下であることが好ましく、０．２０ｍｍ以上１．５０ｍｍ以下であることが更に好ましく、０．２５ｍｍ以上１．００ｍｍ以下であることが一層好ましい、前記＜１＞ないし＜１９＞のいずれか１に記載の毛髪保持具。
＜２１＞
前記他面シート側凹部は、前記側部接合域の長手方向の全域にわたって延びているとともに、該側部接合域の幅方向の全域にわたって延びている、前記＜１＞ないし＜２０＞のいずれか１に記載の毛髪保持具。
【００４５】
＜２２＞
前記側部接合域の長手方向に沿って隣り合う前記他面シート側凹部間の距離Ｐが、他端の前記開口部から一端の前記開口部に向けて漸次広くなっていることに加えて、長手方向Ｘに沿う前記他面シート側凹部の長さＬが、他端の前記開口部から一端の前記開口部に向けて漸次長くなっている、前記＜１＞ないし＜２１＞のいずれか１に記載の毛髪保持具。
＜２３＞
請求項１に記載の毛髪保持具の製造方法であって、
一面シートと他面シートとを対向させた状態下に、該一面シートの各側部域と該他面シートの各側部域とを互いに接合して一対の側部接合域を有する筒状体を形成すると同時に、該側部接合域に、該他面シートの側から該一面シートの側へ向けて凹陥した他面シート側凹部を、該側部接合域の長手方向に沿って複数形成する、毛髪保持具の製造方法。
【符号の説明】
【００４６】
１  毛髪保持具
２  筒状体
２１，２２  開口部
２３  基材シート
２３Ａ  一面シート
２３Ｂ  他面シート
２４  側部接合域
２５  他面シート側凹部
２６  一面シート側凹部
４延設部
５  巻き留め部
６  スリット
８  巻き締め片
【図１】
2019103756.tif 000003
【図２】
2019103756.tif 000004
【図３】
2019103756.tif 000005
【図４】
2019103756.tif 000006
【図５】
2019103756.tif 000007
【図６】
2019103756.tif 000008
【図７】
2019103756.tif 000009
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
一端の開口部から他端の開口部に向けて毛髪束を挿通可能なシートにより構成された筒状体を備えた扁平形状の毛髪保持具であって、
前記筒状体は、前記毛髪保持具の巻き上げ状態において内側に位置する一面シート及び外側に位置する他面シートを備え、
前記一面シートの各側部域と前記他面シートの各側部域とが互いに接合されて、前記筒状体に一対の側部接合域が形成されており、
少なくとも一方の前記側部接合域が、前記他面シートの側から前記一面シートの側へ向けて凹陥した他面シート側凹部を、該側部接合域の長手方向に沿って複数有している、毛髪保持具。
【請求項２】
前記他面シート側凹部の底部を構成する前記他面シートが、該他面シート側凹部が形成されていない部位における該他面シートと前記一面シートとの境界を越えて該一面シート側に達している請求項１に記載の毛髪保持具。
【請求項３】
前記他面シート側凹部が、前記側部接合域の幅方向の全域にわたって連続して延びている請求項１又は２に記載の毛髪保持具。
【請求項４】
少なくとも一方の前記側部接合域が、前記一面シートの側から前記他面シートの側へ向けて凹陥した一面シート側凹部を、該側部接合域の長手方向に沿って複数有している請求項１ないし３のいずれか一項に毛髪保持具。
【請求項５】
前記側部接合域の長手方向に沿って隣り合う前記他面シート側凹部間の距離が、他端の前記開口部から一端の前記開口部に向けて漸次広くなっている請求項１ないし４のいずれか一項に記載の毛髪保持具。
【請求項６】
前記筒状体は、前記側部接合域に、幅方向の外方に向けて延出する巻き締め片を有している請求項１ないし５のいずれか一項に記載の毛髪保持具。
【請求項７】
前記側部接合域が補強材を有する請求項１ないし６のいずれか一項に記載の毛髪保持具。
【請求項８】
請求項１に記載の毛髪保持具の製造方法であって、
一面シートと他面シートとを対向させた状態下に、該一面シートの各側部域と該他面シートの各側部域とを互いに接合して一対の側部接合域を有する筒状体を形成すると同時に、該側部接合域に、該他面シートの側から該一面シートの側へ向けて凹陥した他面シート側凹部を、該側部接合域の長手方向に沿って複数形成する、毛髪保持具の製造方法。